(57)【要約】【課題】  機械力による自動的なペダルの昇降によって足の上下運動を行わせると共に、装置全体の機構を簡略化する。【解決手段】  基枠２内に、上下の揺動板７、８と中間の揺動板９とからなる垂直方向揺動部材を設ける。モータボックス６内に固定したモータ５の回転駆動力が伝達されて回転する回転軸１５にカム板１４を固着する。カム板１４と下側の揺動板８とを連接杆１６をもって連接する。基枠２の正面側中央の位置に、一対のガイドポスト２０、２０にガイドされて垂直に昇降するよう昇降ブロック１９を配設する。中間の揺動板９と昇降ブロック１９とを、上端側を昇降ブロック１９に接続すると共に下端側を自在継手２２を介して中間の揺動板９に接続した、長さ調節可能な連結ロッド２１をもって連結する。昇降ブロック１９に、上端部にペダル３を接続したペダル支持板４を接続する。【選択図】  図１
0003170035.tif 000002
【実用新案登録請求の範囲】
【請求項１】
上下、左右の枠材をもって箱形に形成された基枠と、前記基枠の正面側中央の位置に垂直方向摺動自在に支承されたペダル支持板及びその上端部に接続したペダルと、前記基枠の背面側中央に固設したモータボックス内に固定したモータと、先端側がハの字形に開いた上側と下側の揺動板及びこれらの先端間を結ぶ中間の揺動板とからなり、上下の揺動板の基部を前記モータボックスに枢着連結すると共に上下の揺動板と中間の揺動板とを蝶番をもって接続してなる垂直方向揺動部材と、前記モータボックスの側面に設け、前記モータの回転駆動力を所定の歯車機構を介して伝達される回転軸に固着したカム板と、前記カム板と前記上下の揺動板のいずれかとを連接する連接杆と、前記基枠の正面側中央の位置に、一対のガイドポストにガイドされて垂直に昇降するよう配設した昇降ブロックとからなり、前記垂直方向揺動部材の揺動によってこれに連結された前記昇降ブロックが昇降し、更に該昇降ブロックに接続されたペダル支持板を介してペダルが上下動するようになしたことを特徴とする脚部連続受動運動装置。
【請求項２】
垂直方向揺動部材と昇降ブロックとを、上端側を昇降ブロックに接続すると共に下端側を自在継手を介して垂直方向揺動部材における中間の揺動板に接続した、長さ調節可能な連結ロッドをもって連結してなる請求項１記載の脚部連続受動運動装置。
【請求項３】
垂直方向揺動部材と昇降ブロックとを、垂直方向揺動部材における中間の揺動板と昇降ブロックとの間に自在継手を介在させることにより連結し、昇降ブロックに、長さ調節可能な連結ロッドを介在させてペダル支持板を接続してなる請求項１記載の脚部連続受動運動装置。
【考案の詳細な説明】
【技術分野】
【０００１】
本考案は脚部連続受動運動装置に関し、更に詳細には、床面に起立した状態或いは椅子に腰掛けた状態においてペダルに片方の足を置くと、機械力による自動的なペダルの昇降によって足が上下運動させられ、もって股関節の柔軟性が高められることにより足の動きが楽になると共に、大腿部の筋力の増強で膝が上がるようになり、つまづいたり転倒したりすることによる骨折等を防止することができ、更には股関節の柔軟性が高まることで身体全体の柔軟性が高められるようになした脚部連続受動運動装置に係わる。
【背景技術】
【０００２】
人体は脚部の運動をしなければ股関節の柔軟性が次第になくなり、足の動きが悪くなる。また大腿部の筋力も低下し、膝が上がらなくなってつまづいたり転倒したりすることが多くなる。そして、これにより骨折し、高齢者の場合には寝たきりになることもある。また、身体全体の柔軟性も悪くなると共に、血行不良や便秘等の症状を引き起こすこともある。
【０００３】
これらのことから、脚部の運動を、而もどこででも手軽に行うことができる装置の案出が望まれており、従来においても同様の目的のもとに、例えば特許文献１に示されたもの等が提案されている。
【０００４】
該特許文献１に示された装置は、図６に示す通りであり、台座１０１に台１０２を設置し、該台１０２の上にモータ１０３による回転駆動部１０４を装備し、該回転駆動部１０４の両側に、左右の足を夫々置いて回転運動させるペダル１０５、１０６を備えてなるものである。
【０００５】
そして、該装置は、運動する者が両足を夫々のペダル１０５、１０６に置いてモータ１０３のスイッチを入れると、モータ１０３によって回転駆動部１０４を介して各ペダル１０５、１０６が垂直方向に回転し、両足が回転運動させられるものである。
【先行技術文献】
【特許文献】
【０００６】
【特許文献１】特開２００３−１４４５０２号公報
【考案の概要】
【考案が解決しようとする課題】
【０００７】
上記特許文献１に示された装置は、一応はその目的とするところの効果を期待することができる。しかし、該装置はモータ１０３からの回転力を左右二つのペダル１０５、１０６に伝達する回転駆動部１０４の機構が複雑になる。また、これに伴って部品点数が多くなり、製造コストが高くつくと共に装置全体の重量も大きくなる。また、左右二つのペダル１０５、１０６は垂直方向の回転運動であって、運動する者からすると前後方向の回転である。そしてまた、これら二つのペダル１０５、１０６は、モータ１０３の動力によって機械的に且つ連続的に動くものである。したがって、運動中に誤って足が滑り、ペダル１０５、１０６のいずれかから足が外れると、連続して機械的に動いているペダル１０５、１０６のいずれかが足の臑の裏側に強く当たり、怪我をする虞がある。また、複数の人が共同で使用する場合において、夫々の運動者によって足の長さが異なるが、該装置の場合にはペダル１０５、１０６の回転域は一定であり、これを調節することができないから、そのような場合に対応することができない。
【０００８】
本考案は上記の点に鑑みなされたものであって、上記目的とする効果を達成することができると共に、装置全体の機構を可能な限り簡略化し、少ない部品点数で済み且つ製造コストの軽減化も図ることができ、更に誤って足をペダルから踏み外した場合においても怪我をする虞がなく、加えて上下運動のストロークを調節可能として、運動する者の体格に応じた調整を行うことができるようになした脚部連続受動運動装置を提供しようとするものである。
【課題を解決するための手段】
【０００９】
而して、本考案の要旨とするところは、上下、左右の枠材をもって箱形に形成された基枠と、前記基枠の正面側中央の位置に垂直方向摺動自在に支承されたペダル支持板及びその上端部に接続したペダルと、前記基枠の背面側中央に固設したモータボックス内に固定したモータと、先端側がハの字形に開いた上側と下側の揺動板及びこれらの先端間を結ぶ中間の揺動板とからなり、上下の揺動板の基部を前記モータボックスに枢着連結すると共に上下の揺動板と中間の揺動板とを蝶番をもって接続してなる垂直方向揺動部材と、前記モータボックスの側面に設け、前記モータの回転駆動力を所定の歯車機構を介して伝達される回転軸に固着したカム板と、前記カム板と前記上下の揺動板のいずれかとを連接する連接杆と、前記基枠の正面側中央の位置に、一対のガイドポストにガイドされて垂直に昇降するよう配設した昇降ブロックとからなり、前記垂直方向揺動部材の揺動によってこれに連結された前記昇降ブロックが昇降し、更に該昇降ブロックに接続されたペダル支持板を介してペダルが上下動するようになしたことを特徴とする脚部連続受動運動装置にある。
【００１０】
また、上記構成において、垂直方向揺動部材と昇降ブロックとを、上端側を昇降ブロックに接続すると共に下端側を自在継手を介して垂直方向揺動部材における中間の揺動板に接続した、長さ調節可能な連結ロッドをもって連結するようになしてもよい。
【００１１】
また、上記構成において、垂直方向揺動部材と昇降ブロックとを、垂直方向揺動部材における中間の揺動板と昇降ブロックとの間に自在継手を介在させることにより連結し、昇降ブロックに、長さ調節可能な連結ロッドを介在させてペダル支持板を接続するようになしてもよい。
【考案の効果】
【００１２】
本考案は、上記の如き構成であるから、脚部連続受動運動装置としての上記目的を達成することができると共に、装置全体の機構の簡略化により、少ない部品点数で済み且つ製造コストの軽減化も図ることができるものである。更に誤って足をペダルから踏み外した場合においても怪我をする虞がないものである。
【００１３】
そして、垂直方向揺動部材における揺動板と昇降ブロックとを連結する連結ロッド、或いは昇降ブロックとペダル支持板とを連結する連結ロッドとして、長さ調節可能な連結ロッドを用いる場合には、足の上下運動のストロークが調節可能となり、運動する者の体格に応じた調整を行うことができるようになるものである。特に、太股を水平位置より高く持ち上がるようにすることにより、太股の筋力増強が図られ、股関節が柔らかくなることにより体全体に柔軟性が出て、結局肝臓の働きを活発にし血行も良くなるものである。更には、視力のアップ、目の充血解消、便秘の解消をも図る事ができるものである。
【図面の簡単な説明】
【００１４】
【図１】本考案の第１実施形態に係る脚部連続受動運動装置のペダル上昇状態におけるカバーを省略して示した側断面図である。
【図２】同ペダル降下状態における側断面図である。
【図３】同ペダル降下状態における正面図である。
【図４】モータボックスと上下揺動板の部分拡大斜視図である。
【図５】本考案の第２実施形態に係る脚部連続受動運動装置のペダル上昇状態におけるカバーを省略して示した側断面図である。
【図６】特許文献１に示された装置の説明図である。
【考案を実施するための形態】
【００１５】
以下、本考案を実施するための形態について、図面を参照して説明する。
【００１６】
図中、１は脚部連続受動運動装置である。２は該脚部連続受動運動装置における、上下、左右の枠材２ａ、２ｂ、２ｃ、２ｄをもって箱形に形成された基枠である。尚、図においてはカバーを省略している。３は足を置くペダルである。４は前記基枠２における上枠材２ａから突出する上端部を前記ペダル３に接続したペダル支持板であり、前記基枠２の正面側中央の位置に垂直方向摺動自在に支承されている。
【００１７】
５はモータであり、前記基枠２の背面側中央に固設したモータボックス６内に固定している。７、８、９は一対をなす垂直方向揺動部材であり、先端側がハの字形に開いた上側の揺動板７と下側の揺動板８及びこれらの先端間を結ぶ中間の揺動板９とからなるものである。また、中間の揺動板９と上側の揺動板７及び下側の揺動板８との接続部は、蝶番１０，１１をもって接続している。また、上側の揺動板７と下側の揺動板８の夫々の基部は、前記モータボックス６に枢軸１２、１３をもって枢着連結している。また、図示はしないが、前記モータ５の負担を軽減するために、場合によっては中間の揺動板９を引き上げる向きに附勢するためのコイルスプリングを用いるようにしてもよい。その場合には、基枠２と中間の揺動板９又は後記昇降ブロックとの間に張設する。
【００１８】
１４は前記モータボックス６の側面に設けたカム板であり、前記モータ５の回転駆動力を図示しない所定の歯車機構を介して伝達される回転軸１５に固着されている。１６は連接杆であり、一端側を前記カム板１４に連結軸１７をもって枢着連結し、他端側を前記上側又は下側、本実施形態においては下側の揺動板８の基端近傍部に連結軸１８をもって枢着連結している。
【００１９】
１９は前記基枠２の正面側中央の位置に、後記一対のガイドポストにガイドされて垂直に昇降するよう配設された昇降ブロックである。２０、２０は該昇降ブロック１９の垂直昇降をガイドする一対のガイドポストである。また、該昇降ブロック１９は前記ペダル支持板４の下端部を接続している。
【００２０】
２１は前記垂直方向揺動部材における中間の揺動板９と前記昇降ブロック１９とを連結する連結ロッドであり、上端部を前記昇降ブロック１９に接続し、下端部をボールジョイント等の自在継手２２を介して前記中間の揺動板９に接続している。また、本実施形態においては、連結ロッド２１として長さ調節可能な連結ロッドを用いている。
【００２１】
２３は前記基枠２の上面に設置する操作盤であり、モータ５の作動、ペダル３の上下ストロークの速度設定、作動時間の設定等を行うものである。尚、ペダル３の上下ストロークの速度の調整は、モータ５の回転速度の変更によって行う。また、その他図においてＦは運動する者の足を示すものである。
【００２２】
次に、上記実施形態の作用について説明する。
運動する者は、床面に起立した状態或いは椅子に腰掛けた状態において片方の足をペダル３に置く。そして操作盤２３におけるスイッチ操作によってモータ５を作動させると、該モータ５の回転駆動力が歯車機構を介して伝達される回転軸１５が回転し、これに伴ってこれに固着されたカム板１４が垂直方向に回転する。このカム板１４が回転すると、連接板１６を介して下側の揺動板８が垂直方向に揺動し、上側の揺動板７と該下側の揺動板８及び中間の揺動板９とからなる垂直方向揺動部材が全体的に垂直方向に揺動する。そして、連結ロッド２１を介して昇降ブロック１９が昇降し、これに接続されたペダル支持板４を介してペダル３が一定のストロークで上下動するものである。したがって、ペダル３に置いた足は、機械力による自動的なペダル３の昇降によって上下運動させられることになるものである。
【００２３】
また、運動する者の体格に合わせてペダル３の昇降ストロークを変える場合には、連結ロッド２１の全長を変えることによって行うものである。そして、垂直方向揺動部材における揺動板７、８、９と昇降ブロック１９とを連結する連結ロッド、或いは昇降ブロック１９とペダル支持板４とを連結する連結ロッドとして、長さ調節可能な連結ロッドを用いる場合には、足の上下運動のストロークが調節可能となり、運動する者の体格に応じた調整を行うことができるようになるものである。特に、太股を水平位置より高く持ち上がるようにすることにより、太股の筋力増強が図られ、股関節が柔らかくなることにより体全体に柔軟性が出て、結局肝臓の働きを活発にし血行も良くなるものである。更には、視力のアップ、目の充血解消、便秘の解消をも図ることができるものである。
【００２４】
次に、図５に示した本考案の第２実施形態について説明する。
本実施形態は、垂直方向揺動部材における中間の揺動板９を、ボールジョイント等の自在継手２２を介して昇降ブロック１９に接続し、該昇降ブロック１９とペダル支持板４とを連結ロッド２１をもって連結した点において前記第１実施形態と相違するものである。尚、その他の構成並びに作用は前記第１実施形態と同様であるから、同一の部材には同一の符号を付して詳細な説明は省略する。
【００２５】
上記第１及び第２実施形態によれば、脚部運動装置としての上記目的を達成することができると共に、装置全体の機構の簡略化により、少ない部品点数で済み且つ製造コストの軽減化も図ることができるものである。更に誤って足をペダルから踏み外した場合においても怪我をする虞がないものである。
【００２６】
また、垂直方向揺動部材における中間の揺動板と昇降ブロックとを連結する連結ロッド、又は昇降ブロックとペダル支持板とを連結する連結ロッドとして、長さ調節可能な連結ロッドを用いているから、足の上下運動のストロークが調節可能となり、運動する者の体格に応じた調整を行うことができるものである。
【符号の説明】
【００２７】
１  脚部連続受動運動装置
２  基枠
３  ペダル
４  ペダル支持板
５  モータ
６  モータボックス
７  上側の揺動板
８  下側の揺動板
９  中間の揺動板
１０、１１  蝶番
１４  カム板
１５  回転軸
１６  連接杆
１９  昇降ブロック
２０、２０  ガイドポスト
２１  連結ロッド
２２  自在継手
２３  操作盤
【図１】
0003170035.tif 000003
【図２】
0003170035.tif 000004
【図３】
0003170035.tif 000005
【図４】
0003170035.tif 000006
【図５】
0003170035.tif 000007
【図６】
0003170035.tif 000008